【事件の表示】
　特許第２９６６９８７号「画像データ記録装置および再生装置ならびにそれらの動作制御方法」の特許に対する特許異議の申立てについて、次のとおり決定する。
【結　論】
　訂正を認める。
　特許第２９６６９８７号の請求項１ないし４に係る特許を取り消す。
【理　由】
【１】手続の経緯
　本件特許第２９６６９８７号に係る発明は、平成３年１０月１８日に出願され、平成１１年８月１３日に設定登録（請求項の数４）がなされ、その後特許異議申立人から異議の申立てがなされ、取消理由通知がなされ、その指定期間内である平成１２年９月５日に訂正請求がなされたものである。
　
【２】訂正の適否についての判断
　１ 本件訂正明細書に係る発明
　本件訂正明細書に係る発明は、その特許請求の範囲の請求項１ないし４に記載された次に掲げるとおりのもの（以下それぞれ「本件訂正請求項１ないし４の発明」という。）である。
　【本件訂正請求項１の発明】
　メモリ・カードに記録される静止画画像データによって表わされる画像の縮小画像を一画面上に複数個インデックス表示するために，各静止画画像データについての縮小画像データを上記メモリ・カードに記録する装置において，
　与えられた静止画画像データを間引くことにより縮小画像データを生成する間引手段，
上記間引手段によって生成された縮小画像データを個々にデータ圧縮するデータ圧縮手段，および
　上記データ圧縮手段によってデータ圧縮された縮小画像データを上記メモリ・カードの記録領域のうち静止画画像データが記録されている第１の記録領域とは異なるインデックス表示のための第２の記録領域に記録する記録手段を備え，
　上記静止画画像データと上記縮小画像データとの関連を表すデータを上記メモリ・カードに記録する，
　画像データ記録装置
　【本件訂正請求項２の発明】
　ランダム・アクセス可能なディジタル記録媒体に記録されている静止画画像データによって表わされる画像の縮小画像を一画面上に複数個インデックス表示するために，各静止画画像データについての縮小画像データを上記ディジタル記録媒体から読取り再生する装置において，
　ランダム・アクセス可能な上記ディジタル記録媒体の記録領域のうち静止画画像データが記録されている第１の記録領域とは異なるインデックス表示のための第２の記録領域に，データ圧縮されて記録されている静止画画像データについての縮小画像データを複数の縮小画像分読取る縮小画像データ読取手段，
　上記縮小画像データ読取手段により読取られた縮小画像データをそれぞれデータ伸張するデータ伸張手段，および
　上記データ伸張手段によりデータ伸張され，駒番号が縮小画像上に表示される複数の縮小画像を表わす縮小画像データを，インデックス表示のために再生処理する再生手段，
　を備えた画像データ再生装置
　【本件訂正請求項３の発明】
　メモリ・カードに記録される静止画画像データによって表わされる画像の縮小画像を一画面上に複数個インデックス表示するために，各静止画画像データについての縮小画像データを上記メモリ・カードに記録する装置において，
　与えられた静止画画像データを間引くことにより縮小画像データを生成し，
　生成された縮小画像データを個々にデータ圧縮し，
　データ圧縮された縮小画像データを対応する静止画画像データに関連してメモリ・カードの記録領域のうち静止画画像データが記録されている第１の記録領域とは異なるインデックス表示のための第２の記録領域に記録し，
　上記静止画画像データと上記縮小画像データとの関連を表すデータを上記メモリ・カードに記録する，
　画像データ記録装置の動作方法
　【本件訂正請求項４の発明】
　ランダム・アクセス可能なディジタル記録媒体に記録されている静止画画像データによって表わされる画像の縮小画像を一画面上に複数個インデックス表示するために，各静止画画像データについての縮小画像データを上記ディジタル記録媒体から読取り再生する装置において，
　ランダム・アクセス可能な上記ディジタル記録媒体の記録領域のうち静止画画像データが記録されている第１の記録領域とは異なるインデックス表示のための第２の記録領域に，データ圧縮されて記録されている，静止画画像データについての縮小画像データを複数の縮小画像分読取り，
　読取られた縮小画像データをそれぞれデータ伸張し，
　データ伸張され，駒番号が縮小画像上に表示される複数の縮小画像を表わす縮小画像データを，インデックス表示のために再生処理する，
　画像データ再生装置の動作方法
　２ 訂正の要旨の適否
　上記本件訂正請求項１の発明の訂正は、「ランダム・アクセス可能なディジタル記録媒体」を「メモリ・カード」とし、その「メモリ・カード」に「静止画画像データと縮小画像データとの関連を表すデータを記録する」とし、上記本件訂正請求項２の発明の訂正は、「縮小画像上」に「駒番号を表示」するとし、上記本件訂正請求項３の発明の訂正は、本件訂正請求項１の発明の訂正と同じで、上記本件訂正請求項４の発明の訂正は、本件訂正請求項２の発明の訂正と同じで、それぞれ、訂正前の発明を限定するものである。
　３ 訂正の適否についての結論
　したがって、上記訂正請求は、特許法第１２０条の４第３項で準用する同法第１２６条第２項第３項の規定に適合するので、上記訂正が認められる。
　
【３】取消理由について
　当審が取消理由通知において示した刊行物である特開平３−１８３０９１号公報には、次に掲げる(1)(2)の事項からなる画像ファイルシステムの記録再生方法（以下「刊行物発明」という。）が記載されている。
　【刊行物発明】
　(1)画像入力コントローラ８は、ビデオカメラやＶＴＲ等の外部入力機器により、画像データを取り込み、ディジタル化する。ディジタル化された画像データはフレームメモリ７に書き込まれる。画像プロセッサ６はフレームメモリ７に取り込まれた画像データをサンプリングして間引く等の処理を施し検索用の縮小画像データを生成したり、さらには記録する画像データの帯域圧縮処理等を行う。記録再生プロセッサ５は光ディスクのフォーマットに応じた画像データの変復調を行い、光ディスク装置４との間でデータの転送を行う。第２図は画像ファイルの記録媒体である光ディスク上の画像領域と縮小画像領域を模式的に表したものである。画像領域には、フレームメモリ７に取り込まれた画像データが、縮小画像領域には画像プロセッサ６で縮小処理された検索用の縮小画像データがそれぞれ格納される。縮小画像データは丁度光ディスクの１トラックに格納できるデータ容量に相当するように縮小されたおり、画像記録時に、１トラックずつ、Ｔ１、Ｔ２、Ｔ３、……と矢印の方向に順次格納してゆく。ホストコンピュータ１は、常に、画像Ｎｏ．、画像名、画像アドレス等の画像ファイルのディレクトリ情報を管理しており、例えば、画像Ｎｏ．がｎの画像データの縮小画像データはトラックアドレスＴｎに記録される。このように、縮小画像データのアドレスがトラックアドレスのみで表現できると、画像ファイルの画像Ｎｏ．が縮小画像データのアドレスに相当するので、縮小画像データ用のディレクトリ情報が簡略化でき、ディレクトリの管理が容易になる。光ディスク装置４に格納された画像データを検索する場合、縮小画像領域のＴ１トラックからＴｎトラックまでのｎとラックを連続的に読みだし、フレームメモリ７に順次書き込み、ディスプレイコントローラ９を介して、カラーモニタ１０に表示させる。第３図にその表示例であり、１度にｎ枚の縮小画像を表示する。（２頁右上欄下から１行ないし同頁右下欄下から５行）
　(2)コンソール２には、現在カラーモニタ１０に表示されている画像と対応がつくように画像Ｎｏ．が表示されており、第３図の表示から所望の画像を捜し出し、コンソール２から画像Ｎｏ．を指定することにより、所望の画像データがフレームメモリ７に読み出され、ディスプレイコントローラ９を介してカラーモニタ１０に表示することができる。（２頁右下欄下から２行ないし３頁左上欄６行）
　
【本件訂正請求項１の発明についての判断】
　【対比・検討】
　本件訂正請求項１の発明と刊行物発明とを対比・検討すると、次に掲げる事項(1)(2)が相当ないしは対応する。
　(1)刊行物発明における「画像プロセッサ６」は、画像データをサンプリングして間引く等の処理を施し検索用の縮小画像データを生成したり、さらには記録する画像データの帯域圧縮処理等を行うから、本件訂正請求項１の発明における「間引手段」及び「データ圧縮手段」に相当する。
　(2)刊行物発明における「記録再生プロセッサ５」は、光ディスクのフォーマットに応じた画像データの変復調を行い、光ディスク装置４との間でデータの転送を行うから、本件訂正請求項１の発明における「記録手段」に対応する。
　すると、本件訂正請求項１の発明と刊行物発明とは、次に掲げる点で一致し、下記に掲げる(1)(2)の点で相違する。
　【一致点】
　記録媒体に記録される静止画画像データによって表わされる画像の縮小画像を一画面上に複数個インデックス表示するために，各静止画画像データについての縮小画像データを上記記録媒体に記録する装置において，
　与えられた静止画画像データを間引くことにより縮小画像データを生成する間引手段，
上記間引手段によって生成された縮小画像データを個々にデータ圧縮するデータ圧縮手段，および
　上記データ圧縮手段によってデータ圧縮された縮小画像データを上記記録媒体の記録領域のうち静止画画像データが記録されている第１の記録領域とは異なるインデックス表示のための第２の記録領域に記録する記録手段を備えた，
　画像データ記録装置
　【相違点】
　(1)上記「記録媒体」が、本件訂正請求項１の発明においては「メモリ・カード」であるのに対して、刊行物発明においては「光ディスク」である点
　(2)上記「記録媒体」に、本件訂正請求項１の発明においては「静止画画像データと縮小画像データとの関連を表すデータを記録する」のに対して、刊行物発明においては「関連を表すデータを記録する」ことが明記されていない点
　【相違点の検討】
　相違点(1)について
　メモリ・カードは、記録媒体として本件明細書の従来の技術の項にも記載されているように従来から用いられているから、刊行物発明においての記録媒体である光ディスクに代えて、メモリ・カードを用いることは、当業者であれば、適宜なし得ることである。
　したがって、刊行物発明における「記録媒体」を「メモリ・カード」とすることは、当業者であれば、適宜なし得ることである。
　相違点(2)について
　刊行物発明において、第２図は画像ファイルの記録媒体である光ディスク上の画像領域と縮小画像領域を模式的に表したものである。画像領域には、フレームメモリ７に取り込まれた画像データが、縮小画像領域には画像プロセッサ６で縮小処理された検索用の縮小画像データがそれぞれ格納されるから、格納するに際して、縮小画像データと画像データとの対応関係を示すデータを、記録媒体である光ディスク上に記録することは、従来から普通に採用されていることである。
　例えば、特許異議申立人　有限会社オフィスアテナが提出した甲第２号証である特開昭５８−８７６６０号公報には、「登録画像とその縮小画像との対応は１対１であり、両者のディスク上でのアドレスを登録順にディスク上のアドレス領域に書込んでおく。すなわちデータ構造は第３図に示すようになる。つまりアドレス領域には２つのアドレスが書き込まれていて、それぞれが縮小画像と登録画像のアドレスをさす。」（２頁右上欄下から２行ないし同頁左下欄５行）ことが記載されている。
　以上のことから、縮小画像データを記録媒体の記録領域のうち静止画画像データが記録されている第１の記録領域とは異なるインデックス表示のための第２の記録領域に記録するに際して、「静止画画像データと縮小画像データとの関連を表すデータを記録する」ことは、当業者であれば、適宜なし得ることである。
　したがって、刊行物発明における「記録媒体」に「静止画画像データと縮小画像データとの関連を表すデータを記録する」ことは、当業者であれば、適宜なし得ることである。
　以上のとおり、本件訂正請求項１の発明は、刊行物発明に基いて、当業者が容易に発明をすることができたものであるから、特許法第２９条第２項の規定により、特許を受けることができないものである。
　よって、本件訂正請求項１の発明に係る特許は、特許法第２９条第２項の規定に違反してなされたものである。
　
【本件訂正請求項２の発明についての判断】
　【対比・検討】
　本件訂正請求項２の発明と刊行物発明とを対比・検討すると、次に掲げる事項(1)(2)が対応する。
　(1)刊行物発明における「記録再生プロセッサ５」は、光ディスクのフォーマットに応じた画像データの変復調を行い、縮小画像領域のＴ１トラックからＴｎトラックまでのｎとラックを連続的に読みだすから、本件訂正請求項２の発明における「縮小画像データ読取手段」に対応する。
　(2)刊行物発明における「画像プロセッサ６」は、フレームメモリ７に順次書き込み、ディスプレイコントローラ９を介して、カラーモニタ１０に表示させる。第３図にその表示例であり、１度にｎ枚の縮小画像を表示するといえるから、本件訂正請求項２の発明における「再生手段」に対応する。
　すると、本件訂正請求項２の発明と刊行物発明とは、次に掲げる点で一致し、下記に掲げる(1)(2)の点で相違する。
　【一致点】
　記録媒体に記録されている静止画画像データによって表わされる画像の縮小画像を一画面上に複数個インデックス表示するために，各静止画画像データについての縮小画像データを上記記録媒体から読取り再生する装置において，
　上記記録媒体の記録領域のうち静止画画像データが記録されている第１の記録領域とは異なるインデックス表示のための第２の記録領域に，データ圧縮されて記録されている静止画画像データについての縮小画像データを複数の縮小画像分読取る縮小画像データ読取手段，
　上記縮小画像データ読取手段により読取られた縮小画像データを，インデックス表示のために再生処理する再生手段，
　を備えた画像データ再生装置
　【相違点】
　(1)上記「記録媒体」が、本件訂正請求項２の発明においては、「ランダム・アクセス可能なディジタル記録媒体」であるのに対して、刊行物発明においては、「ランダム・アクセス可能なディジタル」であることが明記されていない点
　(2)上記「読取られた縮小画像データ」が、本件訂正請求項２の発明においては、「データ伸張手段によりデータ伸張され」「駒番号が縮小画像上に表示される複数の縮小画像を表わす縮小画像データ」となるのに対して、刊行物発明においては、「データ伸張手段」と「駒番号を縮小画像上に表示」が明記されていない点
　【相違点の検討】
　相違点(1)について
　刊行物発明においての記録媒体である光ディスクには、記録再生プロセッサ５によって、変調された画像データが記録され、この記録されたデータを復調することにより画像データが再生されるが、この光ディスクに記録されるデータがディジタルであるかアナログであるかは明記されていない。
　しかし、記録媒体として、従来から用いられているメモリ・カードとすることは、上記本件訂正請求項１の発明についての判断における相違点(1)について検討したように、当業者であれば、適宜なし得ることであるから、刊行物発明においての記録媒体である光ディスクをメモリ・カードとすると、記録媒体としては、直ちに、「ランダム・アクセス可能なディジタル記録媒体」となるものである。
　したがって、刊行物発明の「記録媒体」を「ランダム・アクセス可能なディジタル記録媒体」とすることは、当業者であれば、適宜なし得ることである。
　相違点(2)について
　まず、「読取られた縮小画像データ」を「データ伸張手段によりデータ伸張」することについて
　刊行物発明の画像プロセッサ６は、さらには記録する画像データの帯域圧縮処理等を行うが、再生するときの伸張処理について、明記されていない。
　しかし、記録媒体にデータを記録する際に圧縮処理を行うと、再生する際には圧縮処理の逆処理である伸張処理することは、従来から一般に行われいることである。
　例えば、本件特許掲載公報に参考文献として挙げられている刊行物である特開平３−１７５７８４号公報、特に、第１図には、間引き処理回路４からのビデオ信号は圧縮回路８で圧縮されて、画像メモリ９に記録され、記録されたビデオ信号は伸張回路２８で伸張されることが示されている。
　次に、「駒番号を縮小画像上に表示」することについて
　刊行物発明は、第３図の表示から所望の画像を捜し出し、コンソール２から画像Ｎｏ．を指定することにより、所望の画像データがフレームメモリ７に読み出され、ディスプレイコントローラ９を介してカラーモニタ１０に表示することができるものである。
　そして、本件訂正請求項２の発明の「駒番号」に相当する「画像Ｎｏ．」は具体的にはコンソール２に表示されるが、この表示は、カラーモニタ１０に表示されている画像と対応がつくように画像Ｎｏ．を表示するのであるから、コンソール２に表示される「画像Ｎｏ．」をカラーモニタ１０に表示されている画像と対応がつくように、カラーモニタ１０に表示されている画像上に表示させることは、当業者であれば、必要に応じて、適宜なし得ることである。
　例えば、１つの表示装置に、縮小画像と共に画像番号（駒番号）を表示することは、刊行物、１頁右下欄１１行に記載された特開昭６１−２６４４４８号公報、特に、第４図画像番号４０として記載されているように、当業者においては、周知技術である。
　以上のことから、刊行物発明の「読取られた縮小画像データ」を、「データ伸張手段によりデータ伸張し」「駒番号が縮小画像上に表示される複数の縮小画像を表わす縮小画像データ」とすることは、当業者であれば、必要に応じて、適宜なし得ることである。
　以上のとおり、本件訂正請求項２の発明は、上記刊行物発明に基いて、当業者が容易に発明をすることができたものであるから、特許法第２９条第２項の規定により、特許を受けることができないものである。
　したがって、本件訂正請求項２の発明に係る特許は、特許法第２９条第２項の規定に違反してなされたものである。
　
【本件訂正請求項３の発明についての判断】
　本件訂正請求項３の発明は、本件訂正請求項１の発明である「記録装置」を「方法」の発明とした記録装置の「動作方法」であり、この「動作方法」についても、上記本件訂正請求項１の発明について判断した同様の理由により、刊行物発明に基いて、当業者が容易に発明をすることができたものであるから、特許法第２９条第２項の規定により、特許を受けることができないものである。
　したがって、本件訂正請求項３の発明に係る特許は、特許法第２９条第２項の規定に違反してなされたものである。
　
【本件訂正請求項４の発明についての判断】
　本件訂正請求項４の発明は、本件訂正請求項２の発明である「再生装置」を「方法」の発明とした再生装置の「動作方法」であり、この「動作方法」についても、上記本件訂正請求項２の発明について判断した同様の理由により、刊行物発明に基いて、当業者が容易に発明をすることができたものであるから、特許法第２９条第２項の規定により、特許を受けることができないものである。
　したがって、本件訂正請求項４の発明に係る特許は、特許法第２９条第２項の規定に違反してなされたものである。
　
【４】特許権者の主張
　特許権者は、刊行物には、「ホストコンピュータ１は、常に、画像Ｎｏ．、画像名、画像アドレス等の画像ファイルのディレクトリ情報を管理しており」と記載されているところから、「画像データと縮小画像データとの関連を表すデータは、光ディスクに記録されない。」旨を主張をしている。
　しかし、刊行物には、「ホストコンピュータ１」はディレクトリ情報を管理はするが、ディレクトリ情報を記憶（記録）するとは記載されていない。
　したがって、刊行物に記載されたものは、「関連を表すデータであるディレクトリ情報は光ディスクに記録されない。」との特許権者の主張は、必ずしも正しくない。
　また、特許権者は、刊行物には、カラーモニタ１０とは別のコンソール２に画像Ｎｏ．が表示されると記載されているから、本件訂正請求項２，４の発明の一見するだけで明確な表示に対してわかりにくい旨の主張をしている。
　しかし、明確な表示にすることは、上記本件訂正請求項２，４の発明についての判断に記載した同じ理由で、当業者であれば、適宜なし得ることである。
　さらに、特許権者は、刊行物には、圧縮処理が記載され、伸張処理が記載されていないとことから、刊行物に記載されたものは、伸張処理が不要なものである旨の主張をしている。
　しかし、刊行物には、伸張処理が不要な圧縮処理を行うとは記載されていない。
　したがって、刊行物に記載されたものは、「伸張処理が不要なもの」との特許権者の主張は、必ずしも正しくない。
　
【５】むすび
　以上のとおり、本件訂正請求項１ないし４の発明についての特許は、特許法第１１３条第２号に該当し、取り消されるべきものである。
　よって、結論のとおり決定する。
【異議決定日】
平成１２年１０月１７日（２０００．１０．１７）
【訂正の要旨】
　訂正の要旨
▲１▼訂正事項ａ
　特許請求の範囲の請求項１の
　「ランダム・アクセス可能なディジタル記録媒体に記録される静止画画像データによって表わされる画像の縮小画像を一画面上に複数個インデックス表示するために，各静止画画像データについての縮小画像データを上記ディジタル記録媒体に記録する装置において，」を，
特許請求の範囲の減縮を目的として，
　「メモリ・カードに記録される静止画画像データによって表される画像の縮小画像を一画面上に複数個インデックス表示するために，各静止画画像データについての縮小画像データを上記メモリ・カードに記録する装置において，」と訂正する。
▲２▼訂正事項ｂ
　特許請求の範囲の請求項１の
　「上記データ圧縮手段によってデータ圧縮された縮小画像データを対応する静止画画像データに関連してランダム・アクセス可能な上記ディジタル記録媒体の記録領域のうち静止画画像データが記録されている第１の記録領域とは異なるインデックス表示のための第２の記録領域に記録する記録制御手段，」を
特許請求の範囲の減縮を目的として，
　「上記データ圧縮手段によってデータ圧縮された縮小画像データを上記メモリ・カードの記録領域のうち静止画画像データが記録されている第１の記録領域とは異なるインデックス表示のための第２の記録領域に記録する記録制御手段を備え，」と訂正する。
▲３▼訂正事項ｃ
　特許請求の範囲の請求項１の
　「上記データ圧縮手段によってデータ圧縮された縮小画像データを対応する静止画画像データに関連してランダム・アクセス可能な上記ディジタル記録媒体の記録領域のうち静止画画像データが記録されている第１の記録領域とは異なるインデックス表示のための第２の記録領域に記録する記録制御手段，
　を備えた画像データ記録装置。」を，
特許請求の範囲の減縮を目的として，
　「上記データ圧縮手段によってデータ圧縮された縮小画像データを上記メモリ・カードの記録領域のうち静止画画像データが記録されている第１の記録領域とは異なるインデックス表示のための第２の記録領域に記録する記録制御手段を備え，
　上記静止画画像データと上記縮小画像データとの関連を表すデータを上記メモリ・カードに記録する，
　画像データ記録装置。」と訂正する。
▲４▼訂正事項ｄ
　特許請求の範囲の請求項２の
　「上記データ伸張手段によりデータ伸張された複数の縮小画像分の縮小画像データを，インデックス表示のために再生処理する再生手段，
　を備えた画像データ再生装置。」を，
特許請求の範囲の減縮を目的として，
　「上記データ伸張手段によりデータ伸張され，駒番号が縮小画像上に表示される複数の縮小画像を表わす縮小画像データを，インデックス表示のために再生処理する再生手段，
　を備えた画像デーダ再生装置。」と訂正する。
▲５▼訂正事項ｅ
　特許請求の範囲の請求項３の
　「ランダム・アクセス可能なディジタル記録媒体に記録される静止画画像データによって表わされる画像の縮小画像を一画面上に複数個インデックス表示するために，各静止画画像データについての縮小画像データを上記ディジタル記録媒体に記録する装置において，」を，
特許請求の範囲の減縮を目的として，
　「メモリ・カードに記録される静止画画像データによって表わされる画像の縮小画像を一画面上に複数個インデックス表示するために，各静止画画像データについての縮小画像データを上記メモリ・カードに記録する装置において，」と訂正する。
▲６▼訂正事項ｆ
　特許請求の範囲の請求項３の
　「データ圧縮された縮小画像データを対応する静止画画像データに関連してランダム・アクセス可能な上記ディジタル記録媒体の記録領域のうち静止画画像データが記録されている第１の記録領域とは異なるインデックス表示のための第２の記録領域に記録する，」を，
特許請求の範囲の減縮を目的として，
　「データ圧縮された縮小画像データを対応する静止画画像データに関連して上記メモリ・カードの記録領域のうち静止画画像データが記録されている第１の記録領域とは異なるインデックス表示のための第２の記録領域に記録し，」と訂正する。
▲７▼訂正事項ｇ
　特許請求の範囲の請求項３の
　「データ圧縮された縮小画像データを対応する静止画画像データに関連してランダム・アクセス可能な上記ディジタル記録媒体の記録領域のうち静止画画像データが記録されている第１の記録領域とは異なるインデックス表示のための第２の記録領域に記録する，
　画像データ記録装置の動作方法。」を，
特許請求の範囲の減縮を目的として，
　「データ圧縮された縮小画像データを対応する静止画画像データに関連してランダム・アクセス可能な上記ディジタル記録媒体の記録領域のうち静止画画像データが記録されている第１の記録領域とは異なるインデックス表示のための第２の記録領域に記録し，
　上記静止画画像データと上記縮小画像データとの関連を表すデータを上記メモリ・カードに記録する，
　画像データ記録装置の動作方法。」と訂正する。
▲８▼訂正事項ｈ
　特許請求の範囲の請求項４の
　「データ伸張された複数の縮小画像分の縮小画像データを，インデックス表示のために再生処理する，
　画像データ再生装置の動作方法。」を，
特許請求の範囲の減縮を目的として，
　「データ伸張され，駒番号が縮小画像上に表示される複数の縮小画像を表わす縮小画像データを，インデックス表示のために再生処理する，
　画像データ再生装置の動作方法。」と訂正する。
▲９▼訂正事項ｉ
　訂正前の明細書（特許掲載公報第４欄の第２１行から第２２行，同欄の第３６行から第３７行，同欄の第４９行から第５０行，第５欄の第１６行から第１７行および第６欄の第２５行）の「ランダム・アクセス可能なディジタル記録媒体」を，明瞭でない記載の釈明を目的として「メモリ・カード」と訂正する。
▲１０▼訂正事項ｊ
　訂正前の明細書（特許掲載公報第４欄の第２５行から第２６行，同欄の第４０行，第５欄の第３行，同欄の第２０行，第６欄の第２行，同欄の第１６行，および同欄の第２０行から第２１行）の「ディジタル媒体」を，明瞭でない記載の釈明を目的として「メモリ・カード」と訂正する。
▲１１▼訂正事項ｋ
　訂正前の明細書（特許掲載公報の第４欄第３１行から第３２行，同欄の第４４行から第４５行，第５欄の第４行から第５行，および同欄の第２１行から第２２行）の「ランダム・アクセス可能な上記ディジタル記録媒体」を，不明瞭な記載の釈明を目的として，　「メモリ・カード」と訂正する。
（５４）【発明の名称】
画像データ記録装置および再生装置ならびにそれらの動作制御方法
（５７）【特許請求の範囲】
　【請求項１】　
メモリ・カード
メモリ・カード
　与えられた静止画画像データを間引くことにより縮小画像データを生成する間引手段，
　上記間引手段によって生成された縮小画像データを個々にデータ圧縮するデータ圧縮手段，および
　上記データ圧縮手段によってデータ圧縮された縮小画像データを上記
メモリ・カード
　
上記静止画画像データと上記縮小画像データとの関連を表わすデータを上記メモリ・カードに記録する，
　画像データ記録装置。
　【請求項２】　ランダム・アクセス可能なディジタル記録媒体に記録されている静止画画像データによって表わされる画像の縮小画像を一画面上に複数個インデックス表示するために，各静止画画像データについての縮小画像データを上記ディジタル記録媒体から読取り再生する装置において，
　ランダム・アクセス可能な上記ディジタル記録媒体の記録領域のうち静止画画像データが記録されている第１の記録領域とは異なるインデックス表示のための第２の記録領域に，データ圧縮されて記録されている静止画画像データについての縮小画像データを複数の縮小画像分読取る縮小画像データ読取手段，
　上記縮小画像データ読取手段により読取られた縮小画像データをそれぞれデータ伸張するデータ伸張手段，および
　上記データ伸張手段によりデータ伸張され，
駒番号が縮小画像上に表示される
を表わす
　を備えた画像データ再生装置。
　【請求項３】　
メモリ・カード
メモリ・カード
　与えられた静止画画像データを間引くことにより縮小画像データを生成し，
　生成された縮小画像データを個々にデータ圧縮し，
　データ圧縮された縮小画像データを対応する静止画画像データに関連して
メモリ・カード
し，
　
上記静止画面像データと上記縮小画像データとの関連を表わすデータを上記メモリ・カードに記録する，
　　画像データ記録装置の動作方法。
　【請求項４】　ランダム・アクセス可能なディジタル記録媒体に記録されている静止画画像データによって表わされる画像の縮小画像を一画面上に複数個インデックス表示するために，各静止画画像データについての縮小画像データを上記ディジタル記録媒体から読取り再生する装置において，
　ランダム・アクセス可能な上記ディジタル記録媒体の記録領域のうち静止画画像データが記録されている第１の記録領域とは異なるインデックス表示のための第２の記録領域に，データ圧縮されて記録されている，静止画画像データについての縮小画像データを複数の縮小画像分読取り，
　読取られた縮小画像データをそれぞれデータ伸張し，
　データ伸張され，
駒番号が縮小画像上に表示される
を表わす
　画像データ再生装置の動作方法。
【発明の詳細な説明】
　　　【０００１】
　【産業上の利用分野】
　この発明は，画像データ記録装置および再生装置ならびにそれらの動作方法に関する。
　　　【０００２】
　【従来の技術】
　ディジタル処理技術の発達に伴ない，撮影された静止画画像についての画像データがメモリ・カードに記録され保存されるようになってきた。メモリ・カードに記録されている静止画画像データの内容はメモリ・カードの外観からでは認識することができない。このためにメモリ・カードに記録されている静止画画像データが表わす静止画画像の検索に，一画面上に複数の縮小画像が表示されるインデックス表示が利用される。
　　　【０００３】
　インデックス表示を見ることによりメモリ・カードに記録されている静止画画像データについての静止画画像の内容を一見して認識することができる。
　　　【０００４】
　【発明が解決しようとする課題】
　インデックス表示を行なう画像データは，インデックス表示する画像をそのまま表わす画像データとして，メモリ・カードにデータ圧縮されてあらかじめ記録されている。メモリ・カードに記録されているこのデータが読出されデータ伸張されることにより表示装置にインデックス表示される。
　　　【０００５】
　しかしながらインデックス表示する画像をそのまま表わす画像データをメモリ・カードに記録すると，メモリ・カードに記録されている静止画画像データの一部に変更があった場合でもインデックス表示のための画像データを最初から作成し直さなければならない。
　　　【０００６】
　この発明は，記録媒体に記録されている静止画画像データの一部に変更があった場合にインデックス表示のための画像データを比較的容易に作成できるようにすることを目的とする。
　　　【０００７】
　【課題を解決するための手段】
　この発明は，
メモリ・カード
メモリ・カード
上記メモリ・カード
を備え　上記静止画画像データと上記縮小画像データとの関連を表わすデータを上記メモリ・カードに記録する
　　　【０００８】
　この発明は，
メモリ・カード
メモリ・カード
メモリ・カード
し，上記静止画画像データと上記縮小画像データとの関連を表わすデータを上記メモリ・カードに記録する
　　　【０００９】
　この発明は，ランダム・アクセス可能なディジタル記録媒体に記録されている静止画画像データによって表わされる画像の縮小画像を一画面上に複数個インデックス表示するために，各静止画画像データについての縮小画像データを上記ディジタル記録媒体から読取り再生する装置において，ランダム・アクセス可能な上記ディジタル記録媒体の記録領域のうち静止画画像データが記録されている第１の記録領域とは異なるインデックス表示のための第２の記録領域に，データ圧縮されて記録されている静止画画像データについての縮小画像データを複数の縮小画像分読取る縮小画像データ読取手段，上記縮小画像データ読取手段により読取られた縮小画像データをそれぞれデータ伸張するデータ伸張手段，および
　上記データ伸張手段によりデータ伸張され，
駒番号が縮小画像上に表示される
を表わす
　　　【００１０】
　この発明は，ランダム・アクセス可能なディジタル記録媒体に記録されている静止画画像データによって表わされる画像の縮小画像を一画面上に複数個インデックス表示するために，各静止画画像データについての縮小画像データを上記ディジタル記録媒体から読取り再生する装置において，ランダム・アクセス可能な上記ディジタル記録媒体の記録領域のうち静止画画像データが記録されている第１の記録領域とは異なるインデックス表示のための第２の記録領域に，データ圧縮されて記録されている，静止画画像データについての縮小画像データを複数の縮小画像分読取り，読取られた縮小画像データをそれぞれデータ伸張し，データ伸張され，
駒番号が縮小画像上に表示される
を表わす
　　　【００１１】
　【作用】
　この発明の画像データ記録装置およびその動作方法によると，静止画画像データが間引かれて縮小画像データが形成される。形成された縮小画像データが個々にデータ圧縮され記録媒体に記録される。記録媒体に記録された縮小画像データが読出されデータ伸張されて縮小画像が得られ，一画面上に複数の縮小画像が表示されることによりインデックス表示が行なわれる。
　　　【００１２】
　この発明の画像データ再生装置およびその動作方法によると，記録媒体に記録されている縮小画像データが複数の縮小画像分読取られる。読取られた縮小画像データから複数の縮小画像が形成され，静止画画像のインデックス表示が表示装置に表示される。
　　　【００１３】
　この発明のメモリ・カードによると，縮小画像データ記録領域に縮小画像データが記録される。この縮小画像データ記録領域に記録された縮小画像データが複数の縮小画像分読取られデータ伸張されることにより複数の縮小画像が形成される。複数の縮小画像から静止画画像のインデックス表示が行なわれる。
　　　【００１４】
　この発明によると，静止画画像データによって表わされる画像の縮小画像を表わす縮小画像データが，
メモリ・カード
　　　【００１５】
　一部の静止画画像データに変更があったときでも変更があった静止画画像データについての縮小画像データを変更するだけでインデックス表示を変更することができる。従来のようにインデックス表示のための画像データを最初から作成し直すことが不要となる。
　　　【００１６】
　静止画画像データについての縮小画像データは，静止画画像データが記録されているディジタル記録媒体と同じ
メモリ・カード
　　　【００１７】
　また，画像データ記録装置と
メモリ・カード
　　　【００１８】
　静止画画像データおよび縮小画像データは，
メモリ・カード
　　　【００１９】
　この発明の画像データ再生装置およびその動作方法によると，縮小画像データが記録されている記録媒体から縮小画像データを読取ることができデータ伸張されることにより縮小画像が得られる。複数の縮小画像が一画面上に表示されることによりインデックス表示が行なわれる。このため記録媒体に記録されている一部の静止画画像データに変更があった場合でも縮小画像データを変更し，変更された縮小画像データを読取ることにより変更後の縮小画像をインデックス表示できる。
　　　【００２０】
　この発明のメモリ・カードによると縮小画像データが記録されるので，一部の静止画画像データに変更があった場合でも変更があった静止画画像データについての縮小画像データを変更するのみでインデックス表示が可能となる。
　　　【００２１】
　【実施例】
　図１はこの発明の実施例を示すもので，画像記録再生装置の電気的構成を示すブロック図である。
　　　【００２２】
　図１に示す画像記録再生装置１０はメモリ・カード２０に記録されている静止画画像データにより表わされる静止画画像をモニタ表示装置３０に表示することができる。この画像記録再生装置１０はメモリ・カード２０に記録されている複数の静止画画像の内容を複数の縮小画像として１画面に表示するインデックス画像を作成してモニタ表示装置３０に表示することもできる。この縮小画像の例が図３に示されている。
　　　【００２３】
　画像記録再生装置１０にはアナログ／ディジタル（Ａ／Ｄ）変換回路１１が含まれており，このＡ／Ｄ変換回路１１によってアナログ映像信号がディジタル画像データに変換される。ディジタル画像データはメモリ・コントローラ１２によってデータ転送が制御される。フレーム・メモリ１３においてディジタル画像データが一旦記憶される。
　　　【００２４】
　また画像記録再生装置１０には間引処理回路１４が含まれている。間引処理回路１４は静止画画像データから縮小画像データを形成するために画像データの間引き処理を行なう回路である。さらに画像記録再生装置１０には圧縮伸張回路１５が含まれている。圧縮伸張回路１５は静止画画像データおよび間引処理回路１４において間引処理された縮小画像データをデータ圧縮およびデータ圧縮された画像データを伸張する回路である。圧縮伸張回路１５においてたとえばＤＣＴ（Ｄｉｓｃｒｅｔｅ　Ｃｏｓｉｎｅ　Ｔｒａｎｓｆｏｒｍ）変換およびハフマン符号化が行なわれる。圧縮伸張回路１５によってデータ圧縮された画像データがメモリ・カード２０に与えられることにより記録される。
　　　【００２５】
　図２はメモリ・カードの記録領域を模式的に表わすものである。
　　　【００２６】
　メモリ・カード２０には縮小画像を表示するための縮小画像データを記録する縮小画像データ記録領域と，画像データの間引き処理が行なわれていない静止画画像データが記録される静止画画像データ記録領域とが含まれている。また縮小画像データと静止画画像データとの関連を表わすデータが記録される領域を表わすヘッダも含まれている。図２においてはアルファベットの大文字と小文字を用いて静止画画像データと縮小画像データとの対応関係が示されている。たとえば静止画画像データ「Ａ」についての縮小画像データは「ａ」である。また図３において縮小画像データに対応する縮小画像もアルファベットの小文字を用いて表わされている。
　　　【００２７】
　再び図１を参照して，画像記録再生装置１０はメモリ・カード２０に記録されている静止画画像データを再生してモニタ表示装置３０に静止画画像を表示することができ，このためにビデオ信号復調回路１６が含まれている。ビデオ信号復調回路１６にはディジタル／アナログ変換回路が含まれており，ディジタル画像データがアナログ映像信号に変換されて復調される。アナログ映像信号がモニタ表示装置３０に与えられることにより静止画画像が表示される。
　　　【００２８】
　図４はメモリ・カードに画像データを記録するときの処理手順を示すフローチャートである。
　　　【００２９】
　静止画画像を表わす画像データがメモリ・カード２０に記録されるときには（ステップ４１でＹＥＳ），静止画画像を表わすアナログ映像信号がＡ／Ｄ変換回路１１に与えられディジタル画像データに変換される（ステップ４２，４３）。ディジタル画像データはメモリ・コントローラ１２の制御の下にフレーム・メモリ１３に転送され一旦記憶される（ステップ４４）。
　　　【００３０】
　フレーム・メモリ１３に一旦記憶されたディジタル画像データはメモリ・コントローラ１２によって読出される（ステップ４５）。
　　　【００３１】
　メモリ・カード２０の縮小画像データ記録領域に縮小画像データを記録するときには操作者により図示しない設定スイッチが押され（ステップ４６でＹＥＳ），フレーム・メモリ１３から読出された静止画のディジタル画像データは間引処理回路１４に与えられるようメモリ・コントローラ１２によって制御される。間引処理回路１４において静止画のディジタル画像データが縮小画像の画像データ量となるよう画像データの間引処理が行なわれる（ステップ４７）。
　　　【００３２】
　縮小画像データは圧縮伸張回路１５に与えられ所定の圧縮率によりデータ圧縮が行なわれる（ステップ４８）。データ圧縮された縮小画像データはメモリ・カード２０に与えられ縮小画像データ記録領域に記録される（ステップ４９）。
　　　【００３３】
　またメモリ・カード２０には間引処理されていない静止画画像データも記録される。メモリ・カード２０に静止画画像データが記録されるときには操作者により図示しない設定スイッチが押され（ステップ４６でＮＯ），フレーム・メモリ１３に一旦記録された静止画の画像データがメモリ・コントローラ１２によって読出され間引処理回路１４に与えられずに直接圧縮伸張回路１５に与えられる。静止画画像データは圧縮伸張回路１５においてデータ圧縮される（ステップ５０）。データ圧縮された静止画画像データがメモリ・カード２０に与えられ，静止画画像データ記録領域に記録される（ステップ５１）。
　　　【００３４】
　静止画画像データ記録領域に記録された静止画画像データと，静止画画像についての縮小画像の縮小画像データとの関連を表わすデータがメモリ・カード２０のヘッダ情報記録領域に記録される。
　　　【００３５】
　図５はメモリ・カード２０に記録されている縮小画像データを読取り，複数の縮小画像によりモニタ表示装置３０にインデックス表示するときの処理手順を示すフローチャートである。
　　　【００３６】
　メモリ・カード２０の縮小画像データ記録領域に記録されている縮小画像データが読出され圧縮伸張回路１５に与えられる（ステップ６１）。圧縮伸張回路１５に与えられた縮小画像データは圧縮時の圧縮率に対応してデータ伸張が施される（ステップ５２）。データ伸張された縮小画像データはメモリ・コントローラ１２によってフレーム・メモリ１３の所定の領域に一旦記憶される（ステップ５３）。
　　　【００３７】
　モニタ表示装置３０に表示されるインデックス画像ＩＤを完成することができるまで，メモリ・カード２０に記録されている縮小画像データが読出されステップ６１〜６３の処理が繰返される（ステップ６４）。
　　　【００３８】
　メモリ・カード２０に記録されている縮小画像データが読出されインデックス画像ＩＤを構成することができるようになると（ステップ６４でＹＥＳ），フレーム・メモリ１３に一旦記憶されている縮小画像データがメモリ・コントローラ１２によって読出されビデオ信号復調回路１６に与えられる。
　　　【００３９】
　縮小画像データがビデオ信号復調回路１６に与えられることによりアナログ信号に変換され変調される（ステップ１６）。復調された縮小画像ｉｄを表わすアナログ映像信号がモニタ表示装置３０に与えられることによりモニタ表示装置３０にメモリ・カード２０に記録されている画面の内容を表わすインデックス画像ＩＤが図３に示すように表示される（ステップ６６）。
　　　【００４０】
　画像記録再生装置１０は縮小画像ｉｄを並び換えたインデックス画像ＩＤをモニタ表示装置３０に表示することができる。縮小画像ｉｄを並び換えてインデックス画像ＩＤをモニタ表示装置３０に表示する場合には，フレーム・メモリ１３の所定の領域にそれぞれ記録されている縮小画像データの配置が変更されるようフレーム・メモリ１３の記憶領域のデータの書換えが行なわれる（ステップ６３）。フレーム・メモリ１３に再び記録された縮小画像データは再びビデオ信号復調回路１６に与えられ復調されてモニタ表示装置３０に与えられることにより縮小画像ｉｄが並び換えられたインデックス画像ＩＤがモニタ表示装置３０に表示されることとなる。
　　　【００４１】
　モニタ表示装置３０でのインデックス画面の表示によりメモリ・カード２０に記録されている静止画画像データの内容が分ると，縮小画像の左上に表示される駒番号がキーボード（図示略）などにより指定される。縮小画像ｉｄが指定されるとその縮小画像についての静止画画像の静止画画像データがメモリ・カード２０のヘッダを参照して検索される。指定された縮小画像ｉｄに対応する静止画画像データがメモリ・カード２０から読出される。読出された静止画画像データは圧縮伸張回路１５に与えられデータ伸張されてフレーム・メモリ１３に一旦記録される。
　　　【００４２】
　フレーム・メモリ１３に一旦記録された静止画画像データはビデオ信号復調回路１６に与えられ，アナログ映像信号に変換されて復調される。復調されたアナログ映像信号がモニタ表示装置３０に与えられ，指定された縮小画像ｉｄについての静止画画像がモニタ表示装置３０に表示される。
　　　【００４３】
　インデックス画像ＩＤをモニタ表示装置３０に表示することによりメモリ・カード２０に記録されている内容を把握でき任意の静止画画像を選択してモニタ表示装置３０に表示することができるようになる。
【図面の簡単な説明】
　【図１】
　この発明の実施例を示すもので，画像記録再生装置の電気的構成のブロック図である。
　【図２】
　メモリ・カードの記録領域を模式的に表わすものである。
　【図３】
　インデックス画面の表示例を示している。
　【図４】
　メモリ・カードヘの画像データの記録の処理手順を示すフローチャートである。
　【図５】
　インデックス画面の表示制御の処理手順を示すフローチャートである。
　【符号の説明】
　１０　画像記録再生装置
　１２　メモリ・コントローラ
　１３　フレーム・メモリ
　１４　間引処理回路
　１５　圧縮伸張回路
　２０　メモリ・カード
　３０　モニタ表示装置
　ｉｄ　縮小画像
　ＩＤ　インデックス画像